(57)【要約】【課題】本発明は、効率的かつ利用性を向上させつつ機器を管理する。【解決手段】機器管理システム１は、デバイスマネージャＤＭが管理対象機器である画像処理装置Ｇ１〜Ｇｎから該画像処理装置Ｇ１〜Ｇｎの動作結果として生じた複数の動作項目の実績値であるカウンタ値を取得して保管する。機器管理装置ＫＳは、ＵＩ１３から演算式が入力されると、該演算式が適正であるか判断して、適正であると、該演算式で用いる動作項目のカウンタ値のみを、デバイスマネージャＤＭから取得して、演算処理し、演算結果をＵＩ１３のディスプレイに表示出力する。【選択図】          図１
2014016757.tif 000002
【特許請求の範囲】
【請求項１】
管理対象機器から該管理対象機器の動作結果として生じた複数の動作項目の実績値を取得する実績値取得手段と、
複数の前記動作項目を用いた演算式の入力を受け付ける演算式受け付け手段と、
前記実績値取得手段の取得した全ての前記管理対象機器における前記動作項目の前記実績値に対して前記演算式に従って演算を行う演算手段と、
前記演算手段による演算結果を出力する出力手段と、
を備えていることを特徴とする機器管理装置。
【請求項２】
前記機器管理装置は、
前記演算式受け付け手段の受け付けた前記演算式の適性を判定する適正判定手段を備え、
前記演算手段は、
前記適性判定手段が適正であると判定したときにのみ、前記演算式を用いて演算を行うことを特徴とする請求項１記載の機器管理装置。
【請求項３】
前記適性判定手段は、
前記演算式が文法的に適正な演算式であるか、または／及び、前記管理対象機器の管理に必要な情報を導き出すのに適した演算式であるかを判定することを特徴とする請求項２記載の機器管理装置。
【請求項４】
前記機器管理装置は、
所定の表示手段と、
所定の入力手段と、
前記演算式を前記入力手段から入力するための入力画面を前記表示手段に表示させる画面表示手段と、
を備えており、
前記演算式受け付け手段は、
前記画面表示手段による前記表示手段への前記入力画面の表示に応じて前記入力手段から入力された前記演算式を受け付けることを特徴とする請求項１から請求項３のいずれかに記載の機器管理装置。
【請求項５】
前記画面表示手段は、
複数の前記動作項目の項目名をそれぞれ対応させる項目記号を前記表示手段に表示させ、該項目記号を用いた前記入力手段による前記演算式の入力を可能とすることを特徴とする請求項４記載の機器管理装置。
【請求項６】
前記機器管理装置は、
前記実績値取得手段の取得した前記動作項目毎の前記実績値を前記管理対象機器に対応させて保管する記憶手段を備えていることを特徴とする請求項１から請求項５のいずれかに記載の機器管理装置。
【請求項７】
前記実績値取得手段は、
前記管理対象機器が白黒モード、カラーモード等で画像形成動作を行なったときの各動作モードを前記動作項目として、該動作項目での画像形成枚数値を、該動作項目の前記実績値として取得することを特徴とする請求項１から請求項６のいずれかに記載の機器管理装置。
【請求項８】
管理対象機器と該管理対象機器の管理を行う機器管理装置が所定の通信回線で接続されている機器管理システムであって、
前記機器管理装置は、請求項１から請求項７のいずれかに記載の機器管理装置であることを特徴とする機器管理システム。
【請求項９】
管理対象機器から該管理対象機器の動作結果として生じた複数の動作項目の実績値を取得する実績値取得処理ステップと、
複数の前記動作項目を用いた演算式の入力を受け付ける演算式受け付け処理ステップと、
前記実績値取得処理ステップで取得された全ての前記管理対象機器における前記動作項目の前記実績値に対して前記演算式に従って演算を行う演算処理ステップと、
前記演算処理ステップでの演算結果を出力する出力処理ステップと、
を有していることを特徴とする機器管理方法。
【請求項１０】
コンピュータに、
管理対象機器から該管理対象機器の動作結果として生じた複数の動作項目の実績値を取得する実績値取得処理と、
複数の前記動作項目を用いた演算式の入力を受け付ける演算式受け付け処理と、
前記実績値取得処理で取得された全ての前記管理対象機器における前記動作項目の前記実績値に対して前記演算式に従って演算を行う演算処理と、
前記演算処理での演算結果を出力する出力処理と、
を実行させることを特徴とする機器管理プログラム。
【発明の詳細な説明】
【技術分野】
【０００１】
本発明は、機器管理装置、機器管理システム、機器管理方法及び機器管理プログラムに関し、詳細には、効率的かつ利用性を向上させつつ機器を管理する機器管理装置、機器管理システム、機器管理方法及び機器管理プログラムに関する。
【背景技術】
【０００２】
今日、プリンタ装置、複写装置、ファクシミリ装置、スキャナ装置、複合装置等の画像処理装置においては、画像処理装置の各種の使用状況や消耗品の利用状況を把握するために、画像処理装置自体に各使用回数や画像形成枚数等をカウンタでカウントして記憶・保存する機能やカウンタでカウント結果を、内部メモリや別に取り付けられたカード等に記憶する。
【０００３】
そして、従来、上述のような複数の画像処理装置をネットワークを介して、機器管理装置に接続し、各画像処理装置のカウンタ値を収集して、ハードディスク等の大容量メモリにデータベースとして保管して、機器の管理者の要求に応じてディスプレイにデータベースのカウンタ値を表示出力や印刷出力する（特許文献１等参照）。
【発明の概要】
【発明が解決しようとする課題】
【０００４】
しかしながら、上記従来技術にあっては、機器管理装置は、管理対象の機器である画像処理装置から各種カウンタ値を収集して保管して、出力要求に応じて、カウンタ値を出力するのみであるため、機器管理装置に収集された各種カウンタ値から機器管理を行なうためには、従来、管理者が、機器管理装置のユーザインターフェイス（キーボード、マウス、ディスプレイ等）を使用して、手動操作で、機器管理の目的に応じたカウンタ値を取捨選択して、ディスプレイに表示させたり、プリントアウト等によって出力させて、出力されたカウンタ値を、電卓等を使用して、手動で入力して演算することで、機器管理に必要な演算結果情報を取得する必要があり、利用性が悪いという問題があった。
【０００５】
そこで、本発明は、収集した動作の実績値を効率的に演算処理して、機器管理の効率を向上させることを目的としている。
【課題を解決するための手段】
【０００６】
上記目的を達成するために、請求項１記載の機器管理装置は、管理対象機器から該管理対象機器の動作結果として生じた複数の動作項目の実績値を取得する実績値取得手段と、複数の前記動作項目を用いた演算式の入力を受け付ける演算式受け付け手段と、前記実績値取得手段の取得した全ての前記管理対象機器における前記動作項目の前記実績値に対して前記演算式に従って演算を行う演算手段と、前記演算手段による演算結果を出力する出力手段と、を備えていることを特徴としている。
【発明の効果】
【０００７】
本発明によれば、収集した動作の実績値を効率的に演算処理して、機器管理の効率を向上させることができる。
【図面の簡単な説明】
【０００８】
【図１】本発明の一実施例の機器管理装置を適用した機器管理システムの構成図。
【図２】演算部の機能ブロック構成図。
【図３】演算式入力画面の一例を示す図。
【図４】演算結果表示画面の一例を示す図。
【図５】機器管理処理を示すフローチャート。
【発明を実施するための形態】
【０００９】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１０】
図１〜図５は、本発明の機器管理装置、機器管理システム、機器管理方法及び機器管理プログラムの一実施例を示す図であり、図１は、本発明の機器管理装置、機器管理システム、機器管理方法及び機器管理プログラムの一実施例を適用した機器管理システム１の構成図である。
【００１１】
図１において、機器管理システム１は、機器の管理を行う機器管理装置ＫＳと管理対象の複数の画像処理装置（管理対象機器）Ｇ１〜Ｇｎが、デバイスマネージャＤＭを介して接続されており、機器管理装置ＫＳとデバイスマネージャＤＭとは、インターネット、電話回線、ＬＡＮ等の通信回線ＴＫによって接続されている。
【００１２】
機器管理装置ＫＳによる管理対象機器である画像処理装置Ｇ１〜Ｇｎは、ＬＡＮ（Local Area Network）等のネットワークＮＷに接続されており、該ネットワークＮＷに各画像処理装置Ｇ１〜Ｇｎから動作項目毎の実績値であるカウンタ値を収集するデバイスマネージャＤＭが接続されている。
【００１３】
画像処理装置Ｇ１〜Ｇｎは、プリンタ装置、複写装置、ファクシミリ装置、複合装置、コンピュータ装置等の画像処理を行なう各種機器であり、動作を行う毎に、各種動作項目毎の実績値（カウンタ値）をカウントするカウンタを備えている。
【００１４】
例えば、画像処理装置Ｇ１〜Ｇｎは、画像形成動作については、白黒画像形成動作項目において、白黒プリント枚数をカウントする白黒プリントカウンタ、カラー画像形成動作項目において、カラープリント枚数をカウントするカラープリントカウンタ、白黒スキャン動作項目において、白黒スキャン動作の回数をカウントする白黒スキャンカウンタ、カラースキャン動作項目において、カラースキャン動作の回数をカウントするカラースキャンカウンタ、ファクシミリ動作項目において、ファクシミリ通信動作の回数をカウントするファクシミリカウンタ等を備えており、各カウンタのカウンタ値を、ネットワークＮＷを介してデバイスマネージャＤＭに送信する。
【００１５】
デバイスマネージャＤＭは、例えば、通常のハードウェア構成及びソフトウェア構成のコンピュータ等が用いられ、大容量不揮発性メモリ（ハードディスク等）に構築されているカウンタ情報データベースに、ネットワークＮＷを介して各画像処理装置Ｇ１〜Ｇｎから送られてきたカウンタ値を保管するとともに、保管しているカウンタ値を、機器管理装置ＫＳからの要求に応じて、メモリ通信回線ＴＫを介して機器管理装置ＫＳに送信する。
【００１６】
機器管理装置ＫＳは、通常のハードウェア構成及びソフトウェア構成のコンピュータ、例えば、パーソナルコンピュータ等が用いられており、ＣＰＵ（Central Processing Unit ）、ＲＯＭ（Read Only Memory）、ＲＡＭ（Random Access Memory）、ハードディスク、ディスプレイモニタ（以下、ディスプレイという。）、スピーカ、マウス、キーボード等のハードウェアを備えているとともに、ＯＳ（Operating System）上に、各種アプリケーションソフトウェアが搭載されている。
【００１７】
機器管理装置ＫＳは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の機器管理方法を実行する機器管理プログラムを読み込んでＲＯＭやハードディスク等に導入することで、画像処理装置Ｇ１〜Ｇｎを効率的に管理する機器管理方法を実行する機器管理装置として構築されている。この機器管理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１８】
そして、機器管理装置ＫＳは、上記機器管理プログラムが導入されることで、本発明の機器管理方法を実行するのに必要な機能部として、情報回収部１１、演算部１２及びＵＩ（ユーザインターフェイス）１３等が構築されるとともに、その演算部１２に、図２に示すように、カウンタ演算部２１、既存カウンタ情報処理部２２及び演算式チェック部２３等が構築されている。
【００１９】
情報回収部１１は、通信回線ＴＫを介してデバイスマネージャＤＭのカウンタ情報データベースに保管されているカウンタ値を、取得して、演算部１２に渡す。すなわち、情報回収部１１は、管理対象機器である画像処理装置Ｇ１〜Ｇｎから該画像処理装置Ｇ１〜Ｇｎの動作結果として生じた複数の動作項目のカウンタ値（実績値）を取得する実績値取得手段として機能している。
【００２０】
演算部１２は、例えば、図３に示すような演算式入力画面ＤＰ１を、ＵＩ１３のディスプレイ（表示手段）に表示させる。
【００２１】
なお、図３の演算式入力画面ＤＰ１には、演算式として、合計を求める場合（タイトルとして表示）の項目記号としての代替名（Ａ、Ｂ、・・・）と該代替名に対応する項目名としてのソースフィールドが対応して示されており、指定されたソースフィールドの演算式が、ソースフィールドに対応する代替名を用いて、計算フィールドの欄に示されている。図３の演算式入力画面ＤＰ１では、代替名として、ＦとＧで示されるソースフィールド、すなわち、白黒プリントカウンタのカウント値（プリンタ：白黒）とカラープリントカウンタのカウント値（プリンタ：フルカラー）を合計する演算式が入力されている状態が示されている。
【００２２】
管理者等は、該演算式入力画面ＤＰを利用して、意図する管理情報を生成させるための演算式を、ＵＩ１３のマウス、キーボード等を用いて入力し、ＵＩ１３は、入力された演算式を受け付けて、演算部１２に渡す。
【００２３】
演算部１２は、ＵＩ１３から演算式が入力されると、入力された該演算式の実行に必要なカウンタ値を情報回収部１１から取得して、該演算式の演算を実行し、演算結果情報を、例えば、図４に示す演算結果表示画面ＤＰ２のように、ＵＩ１３のディスプレイに表示する。
【００２４】
図４の演算結果表示画面ＤＰ２では、管理対象の画像処理装置Ｇ１〜Ｇｎにおける白黒プリントカウンタのカウント値（プリンタ：白黒）とカラープリントカウンタのカウント値（プリンタ：フルカラー）及びその合計カウント値、そして、機器プロパティが表示されるようになっている。
【００２５】
そして、演算式チェック部（適正判定手段）２３は、管理者等が演算式入力画面ＤＰ１上で入力した演算式が、適切であるか否かを検査して、適切であると、ＵＩ１３に該演算式を受け付けさせて、該演算式をカウンタ演算部２１及び既存カウンタ情報処理部２２に渡す。
【００２６】
既存カウンタ情報処理部２２は、デバイスマネージャＤＭのカウンタ情報データベースに保管されている全てのカウンタ値から、ＵＩ１３から入力されて演算式チェック部２３で適正と判定された演算式の演算に必要なカウンタ値を抽出して、カウンタ演算部２１に渡す。
【００２７】
カウンタ演算部２１は、演算式チェック部２３で適正であると判定された演算式に基づいて、既存カウンタ情報処理部２２で抽出された動作項目のカウンタ値を用いて演算式の演算処理を実行し、演算結果を、上記図４に示した演算結果表示画面ＤＰ２として表示出力したり、図示しないプリンタ装置等を用いて印刷出力する。すなわち、カウンタ演算部は、情報回収部１１の取得した全ての画像処理装置Ｇ１〜Ｇｎにおける動作項目のカウンタ値に対して演算式に従って演算を行う演算手段として機能している。
【００２８】
なお、上記説明においては、機器管理システム１は、各画像処理装置Ｇ１〜Ｇｎのカウンタ値をデバイスマネージャＤＭに集めて、デバイスマネージャＤＭに保管しているが、機器管理システム１の構成としては、上記構成に限るものではなく、例えば、機器管理装置ＫＳが、画像処理装置Ｇ１〜Ｇｎのメーカ、販売会社、保守会社等の機器の管理を行う管理センターに配設され、複数の顧客毎に、デバイスマネージャＤＭが設置されていて、各顧客のデバイスマネージャＤＭと管理センターの機器管理装置ＫＳをインターネット等の通信回線ＴＫで接続してもよい。この場合、各顧客のデバイスマネージャＤＭが、当該顧客の画像処理装置Ｇ１〜Ｇｎのカウンタ値を収集して保管管理し、機器管理装置ＫＳが、各顧客のデバイスマネージャＤＭに保管管理されている情報を、必要に応じて収集して演算して演算結果を出力する。
【００２９】
また、機器管理システム１は、デバイスマネージャＤＭを備えている機器管理システムに限るものではなく、例えば、全ての管理対象の画像処理装置Ｇ１〜Ｇｎが直接機器管理装置ＫＳに接続されて、または、一部の画像処理装置Ｇ１〜Ｇｎが直接機器管理装置ＫＳに、他の画像処理装置Ｇ１〜Ｇｎが、デバイスマネージャＤＭを介して機器管理装置ＫＳに接続されていてもよい。この場合、機器管理装置ＫＳは、少なくとも直接接続されている画像処理装置Ｇ１〜Ｇｎのカウンタ値については、内部または外部の不揮発性メモリに保管して管理する。
【００３０】
次に、本実施例の作用について説明する。本実施例の機器管理装置ＫＳは、収集したカウンタ値を効率的に演算処理して、機器管理の効率を向上させる。
【００３１】
機器管理システム１は、各画像処理装置Ｇ１〜Ｇｎが、画像処理動作を行うと、予め設定されている動作情報を、該動作項目毎に対応して設けられているカウンタによってカウントして、例えば、白黒プリント枚数、カラープリント枚数、白黒スキャン枚数、カラースキャン枚数、ファクシミリ通信枚数等をカウントして、その動作項目のカウンタ値をデバイスマネージャＤＭに出力する。デバイスマネージャＤＭは、各画像処理装置Ｇ１〜Ｇｎから送られてきた各動作項目のカウンタ値を、該画像処理装置Ｇ１〜Ｇｎに関連付けて動作項目毎に保管管理し、機器管理装置ＫＳから動作項目を指定したカウンタ値が要求されると、要求された動作項目のカウンタ値を、通信回線ＴＫを介して機器管理装置ＫＳに送信する。
【００３２】
そして、機器管理装置ＫＳは、図５に示すように、機器管理処理を実行する。すなわち、機器管理装置ＫＳは、管理者等がＵＩ１３によって演算式の入力要求操作が行われると、ＵＩ１３が、例えば、図３に示したような演算式入力画面ＤＰ１を、そのディスプレイに表示出力し、管理者等によって演算式入力画面ＤＰ１を用いて演算式が入力されると（ステップＳ１０１）、演算部１２の演算式チェック部２３が、入力された演算式が適正（正確性）であるか判断する（ステップＳ１０２）。演算式チェック部２３は、この演算式の適正判断として、例えば、演算式自体が文法的に適切であるか否か、また、存在しないカウンタ値（図４では、プリンタ：白黒等の列）が含まれているか否か、あるいは、演算式が画像処理装置Ｇ１〜Ｇｎの管理に必要な情報を導き出すのに適した演算式であるか否か等を判断する。
【００３３】
演算部１２は、演算式チェック部２３が演算式が不適正であると判断すると、ＵＩ１３に、演算式が不適正である旨のエラー表示をディスプレイに行わせて（ステップＳ１０３）、ステップＳ１０１に戻って、演算式の入力が行われるのを待って、演算式が入力されると、その演算式の適正判断を行う処理を、適正な演算式が入力されるか、終了処理が行われるまで繰り返し行う（ステップＳ１０１〜Ｓ１０３）。
【００３４】
ステップＳ１０２で、演算式が適正であると、演算式をカウンタ演算部２１及び既存カウンタ情報処理部２２に渡し、既存カウンタ情報処理部２２が、該適正と判定された演算式の演算に用いるカウンタ値をデバイスマネージャＤＭから抽出して取得して、カウンタ演算部２１に渡す（ステップＳ１０４）。
【００３５】
カウンタ演算部２１は、演算式において、行毎、すなわち、画像処理装置Ｇ１〜Ｇｎ毎に、各列名、すなわち、動作項目である代替名（Ｆ、Ｇ、・・・）を、該画像処理装置Ｇ１〜Ｇｎの該代替名におけるカウンタ値に置換し（ステップＳ１０５）、置換後の演算式を実行して演算を行なう（ステップＳ１０６）。
【００３６】
例えば、図３に示した演算式：Ｆ＋Ｇに対して、代替名Ｆのソースフィールドのカウンタ値である白黒プリントカウンタのカウント値（プリンタ：白黒）と、代替名Ｇのソースフィールドのカラープリントカウンタのカウント値（プリンタ：フルカラー）を合計する演算を行ない、図４では、２列目のプリンタＢの場合、「３６７」＋「２４１」を演算してして「６３８」を求める。
【００３７】
、演算結果が予め設定されている規定範囲内に収まっているかチェックする（ステップＳ１０７）。
【００３８】
カウンタ演算部２１は、ステップＳ１０７で、演算結果が規定範囲内に収まっていると（ステップＳ１０７で、ＹＥＳのとき）、図４に示したように、演算結果をそのままＵＩ１３のディスプレイに表示出力させたり、印刷出力させて機器管理処理を終了する（ステップＳ１０８）。図４の場合、上記２列目のプリンタＢの場合、合計欄に、「６３８」を表示する。
【００３９】
カウンタ演算部２１は、ステップＳ１０７で、演算結果が規定範囲外となるとき（ステップＳ１０７で、ＮＯのとき）には、演算結果を、「+infinite（無限値）」または「-infinite」に変換して、変換結果を、ＵＩ１３のディスプレイに表示出力させたり、印刷出力させて機器管理処理を終了する（ステップＳ１０９）。
【００４０】
このように、本実施例の機器管理装置ＫＳは、管理対象機器である画像処理装置Ｇ１〜Ｇｎから該画像処理装置Ｇ１〜Ｇｎの動作結果として生じた複数の動作項目の実績値であるカウンタ値を取得する情報回収部（実績値取得手段）１１と、複数の前記動作項目を用いた演算式の入力を受け付けるＵＩ（演算式受け付け手段）１３と、情報回収部１１の取得した全ての画像処理装置Ｇ１〜Ｇｎにおける前記動作項目の前記カウンタ値に対して前記演算式に従って演算を行う演算部（演算手段）１２と、演算部１２による演算結果を出力するＵＩ（出力手段）１３と、を備えている。
【００４１】
したがって、複数の画像処理装置Ｇ１〜Ｇｎの動作実績値であるカウント値を単に収集するだけでなく、収集したカウント値に対して欲しい演算結果を演算させる演算式をＵＩ１３から入力するだけで、演算結果を出力させることができ、収集した動作のカウント値を効率的に演算処理して、機器管理の効率を向上させることができる。
【００４２】
また、本実施例の機器管理装置ＫＳは、管理対象機器である画像処理装置Ｇ１〜Ｇｎから該画像処理装置Ｇ１〜Ｇｎの動作結果として生じた複数の動作項目のカウント値を取得する実績値取得処理ステップと、複数の前記動作項目を用いた演算式の入力を受け付ける演算式受け付け処理ステップと、前記実績値取得処理ステップで取得された全ての画像処理装置Ｇ１〜Ｇｎにおける前記動作項目の前記カウント値に対して前記演算式に従って演算を行う演算処理ステップと、前記演算処理ステップでの演算結果を出力する出力処理ステップと、を有している機器管理方法を実行している。
【００４３】
したがって、複数の画像処理装置Ｇ１〜Ｇｎの動作実績値であるカウント値を単に収集するだけでなく、収集したカウント値に対して欲しい演算結果を演算させる演算式をＵＩ１３から入力するだけで、演算結果を出力させることができ、収集した動作のカウント値を効率的に演算処理して、機器管理の効率を向上させることができる。
【００４４】
さらに、本実施例の機器管理装置ＫＳは、コンピュータに、管理対象機器である画像処理装置Ｇ１〜Ｇｎから該画像処理装置Ｇ１〜Ｇｎの動作結果として生じた複数の動作項目のカウント値を取得する実績値取得処理と、複数の前記動作項目を用いた演算式の入力を受け付ける演算式受け付け処理と、前記実績値取得処理で取得された全ての画像処理装置Ｇ１〜Ｇｎにおける前記動作項目の前記カウント値に対して前記演算式に従って演算を行う演算処理と、前記演算処理での演算結果を出力する出力処理と、を実行させる機器管理プログラムを搭載している。
【００４５】
したがって、複数の画像処理装置Ｇ１〜Ｇｎの動作実績値であるカウント値を単に収集するだけでなく、収集したカウント値に対して欲しい演算結果を演算させる演算式をＵＩ１３から入力するだけで、演算結果を出力させることができ、収集した動作のカウント値を効率的に演算処理して、機器管理の効率を向上させることができる。
【００４６】
また、本実施例の機器管理装置ＫＳは、演算部１２が、ＵＩ１３の受け付けた前記演算式の適性を判定する演算式チェック部（適正判定手段）２３を備え、カウンタ演算部２１が、該演算式チェック部２３が適正であると判定したときにのみ、前記演算式を用いて演算を行う。
【００４７】
したがって、異常な演算結果や演算処理の完結しない演算を行う等の無駄な演算を行なうことを防止することができ、収集した動作のカウント値を処理速度を向上させつつ、効率的に機器管理目的に応じて演算処理して、機器管理の効率をより一層向上させることができる。
【００４８】
さらに、本実施例の機器管理装置ＫＳは、演算式チェック部２３が、前記演算式が文法的に適正な演算式であるか、または／及び、画像処理装置Ｇ１〜Ｇｎの管理に必要な情報を導き出すのに適した演算式であるかを判定している。
【００４９】
したがって、異常な演算結果や演算処理の完結しない演算を行う等の無駄な演算を行なうことを防止し、また、画像処理装置Ｇ１〜Ｇｎの管理に必要な演算のみを行なうことができ、収集した動作のカウント値を、処理速度を向上させつつ、効率的に機器管理目的に応じて演算処理して、機器管理の効率をより一層向上させることができる。
【００５０】
また、本実施例の機器管理装置ＫＳは、所定のＵＩ１３のディスプレイ（表示手段）と、キーボード等の所定の入力手段と、前記演算式をＵＩ１３から入力するための演算式入力画面（入力画面）ＤＰ１をディスプレイに表示させるＵＩ（画面表示手段）１３と、を備えており、前記演算式受け付け手段としてのＵＩ１３は、演算式入力画面ＤＰ１の表示に応じて入力された前記演算式を受け付けている。
【００５１】
したがって、演算式をディスプレイに表示される演算式入力画面ＤＰ１を利用して、容易かつ効率的に入力することができ、収集した動作のカウント値をより一層効率的に演算処理して、機器管理の効率をより一層向上させることができる。
【００５２】
さらに、本実施例の機器管理装置ＫＳは、ＵＩ１３が、複数の前記動作項目の項目名をそれぞれ対応させる項目記号を前記演算式入力画面（画面表示手段）ＤＰ１に表示させ、該項目記号を用いたＵＩ１３による前記演算式の入力を可能としている。
【００５３】
したがって、演算式をディスプレイに表示される演算式入力画面ＤＰ１において項目記号を利用して、より一層容易かつ効率的に入力することができ、収集した動作のカウント値をより一層効率的に演算処理して、機器管理の効率をより一層向上させることができる。
【００５４】
また、本実施例の機器管理装置ＫＳは、情報回収部１１が、取得した前記動作項目毎の前記カウント値を画像処理装置Ｇ１〜Ｇｎに対応させて不揮発性メモリに保管してもよい。
【００５５】
このようにすると、デバイスマネージャＤＭを設ける必要がなく、簡素なシステム構成で、画像処理装置Ｇ１〜Ｇｎを効率的に管理することができる。
【００５６】
さらに、本実施例の機器管理装置ＫＳは、情報回収部１１が、画像処理装置Ｇ１〜Ｇｎが白黒モード、カラーモード等で画像形成動作を行なったときの各動作モードを前記動作項目として、該動作項目での印刷枚数（画像形成枚数値）を、該動作項目の前記カウント値として取得している。
【００５７】
したがって、印刷枚数による用紙の管理、インクやトナー等の印刷剤の管理及び印刷部材の劣化状況を管理することができ、機器管理を効率的かつ適切に行うことができる。
【００５８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００５９】
１  機器管理システム
ＫＳ  機器管理装置
Ｇ１〜Ｇｎ  画像処理装置
ＤＭ  デバイスマネージャ
ＴＫ  通信回線
ＮＷ  ネットワーク
１１  情報回収部
１２  演算部
１３  ＵＩ
２１  カウンタ演算部
２２  既存カウンタ情報処理部
２３  演算式チェック部
ＤＰ１  演算式入力画面
ＤＰ２  演算結果表示画面
【先行技術文献】
【特許文献】
【００６０】
【特許文献１】特開２００８−２２５９１９号公報
【図１】
2014016757.tif 000003
【図２】
2014016757.tif 000004
【図３】
2014016757.tif 000005
【図４】
2014016757.tif 000006
【図５】
2014016757.tif 000007